(57)【特許請求の範囲】
【請求項１】
車体の幅方向における左側で長手方向に延在すると共に、前記長手方向の前端側で前記車体に支持され、前記長手方向の後端側で車輪を支持する左トレーリングアームと、
前記幅方向における右側で前記長手方向に延在すると共に、前記長手方向の前端側で前記車体に支持され、前記長手方向の後端側で車輪を支持する右トレーリングアームと、
前記長手方向に平行な縦平面で切った縦断面において、開断面形状である開断面部を形成するように、前記長手方向で対向する一対の縦壁及び前記一対の縦壁を前記前後方向で連絡する上壁を有して前記幅方向に延在すると共に、前記左トレーリングアーム及び前記右トレーリングアームを連結するトーションビームと、
前記左側で前記幅方向に延在すると共に、前記トーションビームの内部でその内壁面の前記幅方向における左側部分に取り付けられる内左取付部、前記トーションビームの外部で前記左トレーリングアームの外壁面に取り付けられる外左取付部、並びに前記内左取付部及び前記外左取付部間を連絡する中間左連絡部を有して、前記トーションビーム及び前記左トレーリングアームを連結する左スティフナと、
前記右側で前記幅方向に延在すると共に、前記トーションビームの内部でその内壁面の前記幅方向における右側部分に取り付けられる内右取付部、前記トーションビームの外部で前記右トレーリングアームの前記外壁面に取り付けられる外右取付部、並びに前記内右取付部及び前記外右取付部間を連絡する中間右連絡部を有して、前記トーションビーム及び前記右トレーリングアームを連結する右スティフナと、
を備え、
前記左スティフナは、前記外左取付部で前記左トレーリングアームの外輪郭の形状と整合した形状を呈する前左切り欠き部を有する前左フランジと、前記外左取付部で前記左トレーリングアームの前記外輪郭の形状と整合した形状を呈する後左切り欠き部を有して前記前左フランジに対して前記長手方向で対向する後左フランジと、前記前左フランジ及び前記後左フランジ間を前記長手方向で連絡すると共に、前記外左取付部で外端部及び前記内左取付部で内端部を有しながら、前記外左取付部における前記外端部及び前記内左取付部における前記内端部の間の部分が前記中間左連絡部を構成する壁部と、を備え、前記前左フランジ及び後左フランジは、前記トーションビームの前記一対の縦壁における前記内壁面に対応して溶接され、かつ、前記前左切り欠き部及び前記後左切り欠き部は、前記左トレーリングアームの前記外壁面に対応して溶接され、
前記右スティフナは、前記外右取付部で前記右トレーリングアームの外輪郭の形状と整合した形状を呈する前右切り欠き部を有する前右フランジと、前記外右取付部で前記右トレーリングアームの前記外輪郭の形状と整合した形状を呈する後右切り欠き部を有して前記前右フランジに対して前記長手方向で対向する後右フランジと、前記前右フランジ及び前記後右フランジ間を前記長手方向で連絡すると共に、前記外右取付部で外端部及び前記内右取付部で内端部を有しながら、前記外右取付部における前記外端部及び前記内右取付部における前記内端部の間の部分が前記中間右連絡部を構成する壁部と、を備え、前記前右フランジ及び後右フランジは、前記トーションビームの前記一対の縦壁における前記内壁面に対応して溶接され、かつ、前記前右切り欠き部及び前記後右切り欠き部は、前記右トレーリングアームの前記外壁面に対応して溶接されるトーションビーム式サスペンション。
【請求項２】
前記左スティフナは、前記トーションビームと協働して前記開断面部を閉じることにより左閉断面部を画成し、前記右スティフナは、前記トーションビームと協働して前記開断面部を閉じることにより右閉断面部を画成する請求項１に記載のトーションビーム式サスペンション。
【請求項３】
前記左閉断面部は、前記左スティフナにおける前記左トレーリングアーム側に画成されると共に、前記右閉断面部は、前記右スティフナにおける前記右トレーリングアーム側に画成される請求項２に記載のトーションビーム式サスペンション。
【請求項４】
前記左スティフナの前記内左取付部及び前記右スティフナの前記内右取付部は、各々、前記トーションビームの前記上壁の下面に接続される請求項３に記載のトーションビーム式サスペンション。
【請求項５】
前記トーションビームの前記左側部分において、前記トーションビームの前記一対の縦壁の一方を、前記前後方向で挟んだ態様で前記左スティフナと並置されると共に、前記トーションビームの前記一対の縦壁の前記一方及び前記左トレーリングアームに接続する左スプリングシートと、
前記トーションビームの前記右側部分において、前記トーションビームの前記一対の縦壁の前記一方を、前記前後方向で挟んだ態様で前記右スティフナと並置されると共に、前記トーションビームの前記一対の縦壁の前記一方及び前記右トレーリングアームに接続した右スプリングシートと、
を更に備える請求項４に記載のトーションビーム式サスペンション。
【発明の詳細な説明】
【技術分野】
【０００１】
本発明は、トーションビーム式サスペンションに関し、特に、四輪自動車等の車両に装着されるトーションビーム式サスペンションに関するものである。
【背景技術】
【０００２】
近年、四輪自動車等の車両用サスペンション装置に対しては、部品点数が少なく、構造が比較的簡素で、スペース効率に優れるトーションビーム式サスペンションが、小排気量車等を中心に多く採用されてきている。
【０００３】
そのため、かかるトーションビーム式サスペンションに対しては、その生産性等を向上させながら、その強度や剛性をより増大させることが求められている。
【０００４】
かかる状況下で、特許文献１は、左右のトレーリングアームをトーションビームで連結したトーションビーム式サスペンションに関し、横荷重に対する十分な剛性を有すると共に、製造が容易なトーションビームを得るために、トーションビームとトレーリングアームとに跨るガゼットを配置し、ガゼットは、車体下側に開口した略Ｕ字状又は略コ字状で、トレーリングアームの断面形状に応じた切欠部を形成して溶着した構成を開示している。
【先行技術文献】
【特許文献】
【０００５】
【特許文献１】特開２００５−８１２３号公報
【発明の概要】
【発明が解決しようとする課題】
【０００６】
しかしながら、本発明者の検討によれば、特許文献１のトーションビーム式サスペンションの構成においては、ガゼットの配置位置を調整することにより、ねじり剛性を変更でき、更に、ガゼットにより応力が分散されると共に、横荷重に対しても十分な強度を有する効果を奏するものではあるが、トーションビームとトレーリングアームの上部でそれらに跨って溶着したものであるため、トーションビームにおけるトレーリングアームとの接合部は開断面形状を維持した状態となって、かかる開断面の端部に応力集中が発生する虞があり、トーションビームとトレーリングアームとの接合強度を増強する観点からは改善の余地がある。
【０００７】
本発明は、以上の検討を経てなされたもので、簡便な構成で、良好な生産性や高い強度等を確保しながらトーションビームとトレーリングアームとの接合強度を向上することができるトーションビーム式サスペンションを提供することを目的とする。
【課題を解決するための手段】
【０００８】
以上の目的を達成すべく、本発明の第１の局面においては、車体の幅方向における左側で長手方向に延在すると共に、前記長手方向の前端側で前記車体に支持され、前記長手方向の後端側で車輪を支持する左トレーリングアームと、前記幅方向における右側で前記長手方向に延在すると共に、前記長手方向の前端側で前記車体に支持され、前記長手方向の後端側で車輪を支持する右トレーリングアームと、前記長手方向に平行な縦平面で切った縦断面において、開断面形状である開断面部を形成するように、前記長手方向で対向する一対の縦壁及び前記一対の縦壁を前記前後方向で連絡する上壁を有して前記幅方向に延在すると共に、前記左トレーリングアーム及び前記右トレーリングアームを連結するトーションビームと、前記左側で前記幅方向に延在すると共に、前記トーションビームの内部でその内壁面の前記幅方向における左側部分に取り付けられる内左取付部、前記トーションビームの外部で前記左トレーリングアームの外壁面に取り付けられる外左取付部、並びに前記内左取付部及び前記外左取付部間を連絡する中間左連絡部を有して、前記トーションビーム及び前記左トレーリングアームを連結する左スティフナと、前記右側で前記幅方向に延在すると共に、前記トーションビームの内部でその内壁面の前記幅方向における右側部分に取り付けられる内右取付部、前記トーションビームの外部で前記右トレーリングアームの前記外壁面に取り付けられる外右取付部、並びに前記内右取付部及び前記外右取付部間を連絡する中間右連絡部を有して、前記トーションビーム及び前記右トレーリングアームを連結する右スティフナと、を備え、前記左スティフナは、前記外左取付部で前記左トレーリングアームの外輪郭の形状と整合した形状を呈する前左切り欠き部を有する前左フランジと、前記外左取付部で前記左トレーリングアームの前記外輪郭の形状と整合した形状を呈する後左切り欠き部を有して前記前左フランジに対して前記長手方向で対向する後左フランジと、前記前左フランジ及び前記後左フランジ間を前記長手方向で連絡すると共に、前記外左取付部で外端部及び前記内左取付部で内端部を有しながら、前記外左取付部における前記外端部及び前記内左取付部における前記内端部の間の部分が前記中間左連絡部を構成する壁部と、を備え、前記前左フランジ及び後左フランジは、前記トーションビームの前記一対の縦壁における前記内壁面に対応して溶接され、かつ、前記前左切り欠き部及び前記後左切り欠き部は、前記左トレーリングアームの前記外壁面に対応して溶接され、前記右スティフナは、前記外右取付部で前記右トレーリングアームの外輪郭の形状と整合した形状を呈する前右切り欠き部を有する前右フランジと、前記外右取付部で前記右トレーリングアームの前記外輪郭の形状と整合した形状を呈する後右切り欠き部を有して前記前右フランジに対して前記長手方向で対向する後右フランジと、前記前右フランジ及び前記後右フランジ間を前記長手方向で連絡すると共に、前記外右取付部で外端部及び前記内右取付部で内端部を有しながら、前記外右取付部における前記外端部及び前記内右取付部における前記内端部の間の部分が前記中間右連絡部を構成する壁部と、を備え、前記前右フランジ及び後右フランジは、前記トーションビームの前記一対の縦壁における前記内壁面に対応して溶接され、かつ、前記前右切り欠き部及び前記後右切り欠き部は、前記右トレーリングアームの前記外壁面に対応して溶接される構成を有する。
【０００９】
また、本発明は、かかる第１の局面に加え、前記左スティフナは、前記トーションビームと協働して前記開断面部を閉じることにより左閉断面部を画成し、前記右スティフナは、前記トーションビームと協働して前記開断面部を閉じることにより右閉断面部を画成することを第２の局面とする。
【００１０】
また、本発明は、かかる第２の局面に加え、前記左閉断面部は、前記左スティフナにおける前記左トレーリングアーム側に画成されると共に、前記右閉断面部は、前記右スティフナにおける前記右トレーリングアーム側に画成されることを第３の局面とする。
【００１２】
また、本発明は、かかる第３の局面に加え、前記左スティフナの前記内左取付部及び前記右スティフナの前記内右取付部は、各々、前記トーションビームの前記上壁の下面に接続されることを第４の局面とする。
【００１３】
また、本発明は、かかる第４の局面に加え、前記トーションビームの前記左側部分において、前記トーションビームの前記一対の縦壁の一方を、前記前後方向で挟んだ態様で前記左スティフナと並置されると共に、前記トーションビームの前記一対の縦壁の前記一方及び前記左トレーリングアームに接続する左スプリングシートと、前記トーションビームの前記右側部分において、前記トーションビームの前記一対の縦壁の前記一方を、前記前後方向で挟んだ態様で前記右スティフナと並置されると共に、前記トーションビームの前記一対の縦壁の前記一方及び前記右トレーリングアームに接続した右スプリングシートと、を更に備えることを第５の局面とする。
【発明の効果】
【００１４】
本発明の第１の局面における構成によれば、車体の幅方向における左側で長手方向に延在すると共に、長手方向の前端側で車体に支持され、長手方向の後端側で車輪を支持する左トレーリングアームと、幅方向における右側で長手方向に延在すると共に、長手方向の前端側で車体に支持され、長手方向の後端側で車輪を支持する右トレーリングアームと、長手方向に平行な縦平面で切った縦断面において、開断面形状である開断面部を形成するように、長手方向で対向する一対の縦壁及び一対の縦壁を前後方向で連絡する上壁を有して幅方向に延在すると共に、左トレーリングアーム及び右トレーリングアームを連結するトーションビームと、左側で幅方向に延在すると共に、トーションビームの内部でその内壁面の幅方向における左側部分に取り付けられる内左取付部、トーションビームの外部で前トレーリングアームの外壁面に取り付けられる外左取付部、並びに内左取付部及び外左取付部間を連絡する中間左連絡部を有して、トーションビーム及び左トレーリングアームを連結する左スティフナと、右側で幅方向に延在すると共に、トーションビームの内部でその内壁面の幅方向における右側部分に取り付けられる内右取付部、トーションビームの外部で前トレーリングアームの外壁面に取り付けられる外右取付部、並びに内右取付部及び外右取付部間を連絡する中間右連絡部を有して、トーションビーム及び右トレーリングアームを連結する右スティフナと、を備えることにより、簡便な構成で、トーションビームとトレーリングアームとの接合強度を向上しながら、それらの接合部への応力集中を緩和することができる。更に、本発明の第１の局面における構成によれば、左スティフナは、外左取付部で左トレーリングアームの外輪郭の形状と整合した形状を呈する前左切り欠き部を有する前左フランジと、外左取付部で左トレーリングアームの外輪郭の形状と整合した形状を呈する後左切り欠き部を有して前左フランジに対して長手方向で対向する後左フランジと、前左フランジ及び後左フランジ間を長手方向で連絡すると共に、外左取付部で外端部及び内左取付部で内端部を有しながら、外左取付部における外端部及び内左取付部における内端部の間の部分が中間左連絡部を構成する壁部と、を備え、前左フランジ及び後左フランジは、トーションビームの一対の縦壁における内壁面に対応して溶接され、かつ、前左切り欠き部及び後左切り欠き部は、左トレーリングアームの外壁面に対応して溶接され、右スティフナは、外右取付部で右トレーリングアームの外輪郭の形状と整合した形状を呈する前右切り欠き部を有する前右フランジと、外右取付部で右トレーリングアームの外輪郭の形状と整合した形状を呈する後右切り欠き部を有して前右フランジに対して長手方向で対向する後右フランジと、前右フランジ及び後右フランジ間を長手方向で連絡すると共に、外右取付部で外端部及び内右取付部で内端部を有しながら、外右取付部における外端部及び内右取付部における内端部の間の部分が中間右連絡部を構成する壁部と、を備え、前右フランジ及び後右フランジは、トーションビームの一対の縦壁における内壁面に対応して溶接され、かつ、前右切り欠き部及び後右切り欠き部は、右トレーリングアームの外壁面に対応して溶接されることにより、トーションビームとトレーリングアームとの接合強度をより増強することができる。
【００１５】
また、本発明の第２の局面における構成によれば、左スティフナは、トーションビームと協働して開断面部を閉じることにより左閉断面部を画成し、右スティフナは、トーションビームと協働して開断面部を閉じることにより右閉断面部を画成することにより、トーションビームの強度や剛性を向上しながら、トーションビームとトレーリングアームとの接合強度を向上することができる。
【００１６】
また、本発明の第３の局面における構成によれば、左閉断面部は、左スティフナにおける左トレーリングアーム側に画成されると共に、右閉断面部は、右スティフナにおける右トレーリングアーム側に画成されることにより、トーションビームの幅方向の端部における捩り強度や捩り剛性を向上しながら、トーションビームとトレーリングアームとの接合強度を向上することができる。
【００１８】
また、本発明の第４の局面における構成によれば、左スティフナの内左取付部及び右スティフナの内右取付部は、各々、トーションビームの上壁の下面に接続されることにより、車体の幅方向におけるトーションビームの縦断面形状の急激な形状変化を抑制することができるので、トーションビームの形状が変化した部分における応力集中を緩和することができる。
【００１９】
また、本発明の第５の局面における構成によれば、トーションビームの左側部分において、トーションビームの一対の縦壁の一方を、前後方向で挟んだ態様で左スティフナと並置されると共に、トーションビームの一対の縦壁の一方及び左トレーリングアームに接続する左スプリングシートと、トーションビームの右側部分において、トーションビームの一対の縦壁の一方を、前後方向で挟んだ態様で右スティフナと並置されると共に、トーションビームの一対の縦壁の一方及び右トレーリングアームに接続した右スプリングシートと、を更に備えることにより、左スプリングシート及び右スプリングシートをトーションビームに確実に取り付けて、サスペンションスプリング等からの入力荷重を確実に受け止めることができる。
【図面の簡単な説明】
【００２０】
【図１】本発明の実施形態におけるトーションビーム式サスペンションの部分拡大上面図である。
【図２】本実施形態におけるトーションビーム式サスペンションの部分拡大下面図である。
【図３】本実施形態におけるトーションビーム式サスペンションの部分拡大背面図である。
【図４】図１のＡ−Ａ断面図である。
【図５】図１のＢ−Ｂ断面図である。
【図６】本実施形態におけるトーションビーム式サスペンションの構成部品であるスティフナを示す斜視図である。
【発明を実施するための形態】
【００２１】
以下、図１から図５を適宜参照して、本発明の実施形態におけるトーションビーム式サスペンションにつき詳細に説明する。なお、図中、ｘ軸、ｙ軸及びｚ軸は、３軸直交座標系を成す。また、ｘ軸の正方向が車体の前方向であり、ｙ軸の正方向が車体の左方向であり、かつ、ｚ軸の正方向が車体の上方向である。また、ｘ軸の方向を長手方向と呼ぶことがあり、ｙ軸の方向を幅方向と呼ぶことがある。
【００２２】
図１は、本実施形態におけるトーションビーム式サスペンションの部分拡大上面図である。図２は、本実施形態におけるトーションビーム式サスペンションの部分拡大下面図である。図３は、本実施形態におけるトーションビーム式サスペンションの部分拡大背面図である。図４は、図１のＡ−Ａ断面図である。図５は、図１のＢ−Ｂ断面図であり、図６は、本実施形態におけるトーションビーム式サスペンションの構成部品であるスティフナを示す斜視図である。なお、図１から図６は、いずれもトーションビーム式サスペンションの左側の構成要素について主として示すものであるが、トーションビーム式サスペンションの右側の構成要素は、左側の構成に対して左右対称な構成を有する。また、図１から図６において、説明の便宜上、トーションビーム式サスペンションの右側の構成要素を括弧付きの符号で示している。
【００２３】
まず、本実施形態におけるトーションビーム式サスペンション１の全体構成について、図１から図６を参照しながら、詳細に説明する。
【００２４】
トーションビーム式サスペンション１は、図示を省略する自動車等のリヤサイドフレーム等の車体に装着されながら、サスペンションスプリング（以下、スプリングという）、サスペンションダンパ（以下、ダンパという）、及び車輪等を支持するものである。
【００２５】
具体的には、トーションビーム式サスペンション１は、トーションビーム１０、左右一対のトレーリングアーム２０、１２０、左右一対のスティフナ３０、１３０を主として備える。また、トーションビーム式サスペンション１は、左右一対のスプリングシート８０、１８０、及び左右一対のダンパブラケット９０、１９０を備えてもよい。
【００２６】
トーションビーム１０は、典型的には、プレス成形等により上方に凸の形状を呈した鋼板等の金属板から成る板部材であって、幅方向に延在しながら、その両端部に左右一対のトレーリングアーム２０、１２０を連結する。
【００２７】
詳しくは、トーションビーム１０は、ｘ−ｚ平面と平行な平面で切った縦断面において、前後方向で対向する前縦壁部１１及び後縦壁部１２、並びに前縦壁部１１及び後縦壁部１２の各々の上端部を前後方向で連絡する上壁部１３を備えて、下方に開いた開断面形状を呈する。なお、必要に応じて、トーションビーム１０は、上方に開いた開断面形状を呈していてもよいし、鋼管等の金属製パイプ部材で構成される閉断面形状を呈していてもよい。
【００２８】
ここで、トーションビーム式サスペンション１は、典型的には、ｘ−ｚ平面と平行な平面であって幅方向の中央を通る中央平面に対して、基本的には左右対称な形状を有するものであるから、トーションビーム１０は、かかる中央平面に対して、互いに左右対称な形状を有するものであり、左トレーリングアーム２０及び右トレーリングアーム１２０、左スティフナ３０及び右スティフナ１３０、左スプリングシート８０及び右スプリングシート１８０、並びに左ダンパブラケット９０及び右ダンパブラケット１９０は、各々、かかる中央平面に対して、互いに左右対称な形状を有すると共に左右対称な位置に配置される。以下、説明の便宜上、左右一対のトレーリングアーム２０、１２０、左右一対のスティフナ３０、１３０、左右一対のスプリングシート８０、１８０、及び左右一対のダンパブラケット９０、１９０に関し、左トレーリングアーム２０、左スティフナ３０、左スプリングシート８０、及び左ダンパブラケット９０を例に挙げて代表的に説明していく。
【００２９】
左トレーリングアーム２０は、典型的には、閉断面形状を呈した鋼板等の金属板から成る管状の板部材であって、長手方向に延在する。
【００３０】
詳しくは、左トレーリングアーム２０においては、その前端部に車体に支持されるための典型的には鋼板等の金属板を丸めたカラー部材１００がアーク溶接等で溶接されることにより固設される一方で、その後端部には車輪を支持するための典型的には鋼製等の金属製の車輪支持部材１１０がその一部が挿入された態様でアーク溶接等で溶接されることにより固設されている。なお、必要に応じて、左トレーリングアーム２０は、鋼板等の金属板から成る平板部材を縦断面略コ字状に成形した２つの構成部品を用意して、これらを幅方向で互いに対向させた態様でアーク溶接等により溶接されて一体化されていてもよいし、鋼管等の金属製の１つのパイプ部材で構成されてもよい。また、車輪支持部材１１０は、左トレーリングアーム２０の後端部に単に突き当てられた態様でアーク溶接等により溶接されて固設されていてもよい。
【００３１】
左スティフナ３０は、典型的には、プレス成形等により成形された鋼板等の金属板から成る板部材であって、トーションビーム１０及び左トレーリングアーム２０の間を幅方向に延在して配設されると共に、その左端部及び右端部が各々トーションビーム１０及び左トレーリングアーム２０にアーク溶接等で溶接されることにより、トーションビーム１０及び左トレーリングアーム２０に固設されてそれらを連結する。
【００３２】
詳しくは、左スティフナ３０は、その底壁部３１の前端部から上方に立設された前フランジ３２、及び底壁部３１の後端部から上方に立設された後フランジ３３を備え、前フランジ３２及び後フランジ３３は、各々、幅方向に延在する。なお、底壁部３１においては、必要に応じて左スティフナ３０の強度を増強すべく、上方に凸の形状を呈しながら幅方向に延在するビード部３４を設けていてもよく、かかるビード部３４は、下方に陥設された凹の形状であってもよい。
【００３３】
左スティフナ３０は、更に、トーションビーム１０の左端の外部で、左トレーリングアーム２０の外周面に固設される左端部である外取付部４０を備える。外取付部４０は、前フランジ３２の左端部が左トレーリングアーム２０の外輪郭形状に沿う形状になるように切り欠かれた前切り欠き部３５、及び後フランジ３３の左端部が左トレーリングアーム２０の外輪郭形状に沿う形状になるように切り欠かれた後切り欠き部３６から成る。かかる前切り欠き部３５及び後切り欠き部３６が、各々、左トレーリングアーム２０の外周面に当接した態様でこれにアーク溶接等で溶接されることにより、左スティフナ３０は、左トレーリングアーム２０の外周面に固設される。なお、トーションビーム１０及び左トレーリングアーム２０の固設部分への応力集中を緩和する観点から、外取付部４０における底壁３１の左端部は、左方に凹形状の緩やかなＲ形状を呈することが好ましい。また、トーションビーム１０の左端縁及び左スティフナ３０の左縁部が協働して閉断面形状を呈することが、それらを左トレーリングアーム２０に対して不要な隙間を生じること無く溶接できるため、より好ましい。
【００３４】
左スティフナ３０は、更に、トーションビーム１０の内部でそれに固設される右端部である内取付部５０を備える。内取付部５０は、トーションビーム１０の上壁１３の内壁面の形状に沿う形状になるように成形された底壁部３１の右端部、トーションビーム１０の前縦壁１１の内壁面の形状に沿う形状になるように成形された前フランジ３２の右端部、トーションビーム１０の後縦壁１２の内壁面の形状に沿う形状になるように成形された後フランジ３３の右端部から成る。かかる底壁部３１の右端部、前フランジ３２の右端部及び後フランジ３３の右端部が、各々対応するトーションビーム１０における上壁１３の内壁面、前縦壁１１の内壁面及び後縦壁１２の内壁面に当接した態様でこれらに対応してアーク溶接等で溶接されることにより、左スティフナ３０は、トーションビーム１０の内周面に固設される。
【００３５】
この際、底壁部３１の右端部、前フランジ３２の右端部及び後フランジ３３の右端部は、トーションビーム１０の内周面と協働してトーションビーム１０の強度や剛性を向上する閉断面部Ｓを構成することが好ましく、閉断面部Ｓは、左トレーリングアーム２０の右側の壁面と協働してその内部を密封状態に保つことが、閉断面部Ｓ内部の塗装の付き回り性を考慮する煩雑さが解消されるためより好ましい。なお、閉断面部Ｓ内への塗装をする必要がある場合においては、その塗装の付き回り性を向上する観点から、底壁３１の右端部には、下方に凸の形状を呈して閉断面部Ｓを右方に向けて部分的に解放する凸形状部３７が設けられてもよい。
【００３６】
なお、前フランジ３２の右端部及び後フランジ３３の右端部は、左スティフナ３０の成形性を向上する観点から、それらの上下長さが減小されてもよく、左スティフナ３０の強度や底壁部３１のトーションビーム１０の内周面への溶接強度が確保できる場合には、前フランジ３２の右端部及び後フランジ３３の右端部の各々の上下長さがゼロに設定されて前フランジ３２及び後フランジ３３が消滅してもかまわない。
【００３７】
また、左スティフナ３０は、更に、外取付部４０及び内取付部５０を連絡する中間連絡部６０を備える。かかる中間連絡部６０は、外取付部４０から内取付部５０に向かうにつれて徐々に上昇しながら幅方向に延在する斜行部である。中間連絡部６０がこのような斜行部の態様をとることにより、トーションビーム１０の幅方向における縦断面形状の急激な形状変化が抑制され得て、トーションビーム１０の形状が変化した部分における応力集中を緩和することができる。なお、トーションビーム１０が上方に開いた開断面形状を呈する場合には、中間連絡部６０は、外取付部４０から内取付部５０に向かうにつれて徐々に下降しながら幅方向に延在する斜行部となる。また、トーションビーム１０がパイプ部材で構成される閉断面形状を呈する場合には、中間連絡部６０として、外取付部４０から内取付部５０に向かうにつれて徐々に上昇しながら幅方向に延在する斜行部、及び外取付部４０から内取付部５０に向かうにつれて徐々に下降しながら幅方向に延在する斜行部のいずれをも選択して採用可能である。また、トーションビーム１０の強度や剛性を向上すると共に、トーションビーム１０と左トレーリングアーム２０との接合強度を向上する観点からは、トーションビーム１０と左スティフナ３０とが協働して画成する閉断面部Ｓは、内取付部５０から中間連絡部６０を経由して外取付部４０に至るように設定されていてもよい。
【００３８】
左スプリングシート８０は、典型的には、プレス成形等により成形された鋼板等の金属板から成る板部材であって、トーションビーム１０及び左トレーリングアーム２０にアーク溶接等で溶接されることにより固設されると共に、スプリングの下端部を支持自在である。
【００３９】
詳しくは、左スプリングシート８０は、ｘ−ｙ平面に平行な底壁部８１、底壁部８１の中央部から上方に凸の形状を呈する凸部８２、及び凸部８２を上下方向に貫通するように穿孔して形成された貫通孔８３を備える。また、底壁部８１は、凸部８２を中心とした同一円周上に整列するように底壁部８１を上下方向に穿孔して設けられた複数の取付け孔８４を有する。
【００４０】
左スプリングシート８０は、更に、底壁部８１の前右端部から上方に傾斜しながら立設される傾斜壁部８５、及び底壁部８１の後端部から上方に立設されると共に、平面視で後方に凸の湾曲状の後壁部８６を備える。
【００４１】
左スプリングシート８０においては、傾斜壁部８５の前端部は、トーションビーム１０の後縦壁１２の外壁面の形状に沿う形状になるように切り欠かれている。このように切り欠かれた部分は、それが後縦壁１２の外壁面に当接した態様で、アーク溶接等で溶接されることにより、傾斜壁部８５がトーションビーム１０に固設される。かかる傾斜壁部８５は、トーションビーム１０の後縦壁部１２の剛性を向上すると共に、それに対する左スティフナ３０及び左スプリングシート８０の支持強度を各々向上する観点からは、トーションビーム１０の後縦壁部１２を挟んだ態様で左スティフナ３０と並置されることが好ましい。また、後壁部８６の左端部は、左トレーリングアーム２０の外周面の形状に沿う形状になるように切り欠かれている。このように切り欠かれた部分は、それが左トレーリングアーム２０の外周面に当接した態様で、アーク溶接等で溶接されることにより、後壁部８６が左トレーリングアーム２０に固設される。
【００４２】
また、左スプリングシート８０は、更に、傾斜壁部８５と後壁部８６とに亘ってそれらの上端部が外方に折り曲げられた外フランジ８７を備える。なお、左スプリングシート８０の板厚が厚い等の理由でその強度が十分に確保される場合には、外フランジ８７は省略可能である。
【００４３】
ダンパブラケット９０は、典型的には、プレス成形等により成形された鋼板等の金属板から成る板部材であって、左スプリングシート８０の後壁部８６に対してアーク溶接等で溶接されることにより固設されると共に、ダンパの下端部を支持するものである。
【００４４】
詳しくは、ダンパブラケット９０は、ｘ−ｙ平面に平行な底壁部９１、底壁部９１の幅方向の両端部から互いに幅方向で対向しながら上方に立設された左側壁部９２及び右側壁部９３を備える。
【００４５】
ダンパブラケット９０においては、左側壁部９２及び右側壁部９３は、左スプリングシート８０の底壁部８１の下面の下方に延在して、それにアーク溶接等で溶接されることにより固設される。また、左側壁部９２及び右側壁部９３は、ダンパの下端部をそれらの間に収容して支持自在であって、幅方向に穿孔して形成されると共に互いに対向する左貫通孔９４及び右貫通孔９５を対応して有する。なお、左貫通孔９４及び右貫通孔９５の一方には、図示を省略するナット部材が固設されていてもよい。
【００４６】
また、ダンパブラケット９０は、更に、左側壁部９２の上端部が左方に折り曲げられた左フランジ９６を有し、右側壁部９３の上端部が右方に折り曲げられた右フランジ９７を備える。左フランジ９６の左端部は、左トレーリングアーム２０の外周面に当接した態様でアーク溶接等で溶接されることにより固設されると共に、左フランジ９６の前端部は、左スプリングシート８０の後壁部８６に当接した態様でアーク溶接等で溶接されることにより固設される。
【００４７】
また、右フランジ９７の前端部は、左スプリングシート８０の後壁部８６に当接した態様でアーク溶接等で溶接されることにより固設される。
【００４８】
以上の構成を有するトーションビーム式サスペンション１においては、車体に装着される部位として車体取付部Ｂ１が設定されると共に、各種の外力印加部品の装着用の取付け部として、車輪側部材を取り付ける車輪側取付部Ｗ１、スプリングを取付けるスプリング取付部Ｓ１、及びダンパを取り付けるダンパ取付部Ｄ１が設定されている。
【００４９】
詳しくは、車体取付部Ｂ１は、左トレーリングアーム２０の前端部に設けられたカラー部材１００に対応して配置されている。かかる車体取付け部Ａ１においては、左トレーリングアーム２０の前端部が、カラー部材１００に圧入された図示を省略するブッシュ部材を介して、図示を省略する典型的にはボルト等の締結部材で締結されることにより、車体に装着される。
【００５０】
車輪側取付部Ｗ１は、左トレーリングアーム２０の後端部に設けられた車輪支持部材１１０に対応して配置されている。かかる車輪側取付部Ｗ１においては、いずれも図示を省略する典型的にはベアリング部材が、ボルト等の締結部材で車輪支持部材１１０に締結されることにより装着される。
【００５１】
スプリング取付部Ｓ１は、左スプリングシート８０の底壁部８１に対応して配置されている。かかるスプリング取付部Ｓ１においては、図示を省略するスプリングが、左スプリングシート８０の底壁８１の上部に載置されることにより装着される。なお、スプリングの擦れ音等の低減のために、底壁部８１に設けられた複数の取付け孔８４に円盤状の弾性部材を載置して、その上にスプリングを載置してもよい。
【００５２】
ダンパ取付部Ｄ１は、ダンパブラケット９０の左側壁部９２及び右側壁部９３に対応して配置されている。かかるダンパ取付部Ｄ１においては、図示を省略するダンパの下端部が、左側壁部９２及び右側壁部９３の各々に設けられた左貫通孔９４及び右貫通孔９５を介して、図示を省略する典型的にはボルト等の締結部材で締結されることにより装着される。
【００５３】
なお、以上の各種の車輪支持部材、ナット部材は、典型的には鋼材等の金属製である。
【００５４】
なお、本発明は、部材の種類、形状、配置、個数等は前述の実施形態に限定されるものではなく、その構成要素を同等の作用効果を奏するものに適宜置換する等、発明の要旨を逸脱しない範囲で適宜変更可能であることはもちろんである。
【産業上の利用可能性】
【００５５】
以上のように、本発明においては、簡便な構成で、良好な生産性や高い強度等を確保しながらトーションビームとトレーリングアームとの接合強度を向上することができるトーションビーム式サスペンションを提供することができるものであるため、その汎用普遍的な性格から広範に車両等の移動体のトーションビーム式サスペンションの分野に適用され得るものと期待される。
【符号の説明】
【００５６】
１…トーションビーム式サスペンション
１０…トーションビーム
１１…前縦壁部
１２…後縦壁部
１３…上壁部
２０、１２０…トレーリングアーム
３０、１３０…スティフナ
３１、８１、９１…底壁部
３２…前フランジ
３３…後フランジ
３４…ビード部
３５…前切り欠き部
３６…後切り欠き部
３７…凸形状部
４０…外取付部
５０…内取付部
６０…中間連絡部
８０、１８０…スプリングシート
８２…凸部
８３…貫通孔
８４…取付け孔
８５…傾斜壁部
８６…後壁部
８７…外フランジ
９０、１９０…ダンパブラケット
９２…左側壁部
９３…右側壁部
９４…左貫通孔
９５…右貫通孔
９６…左フランジ
９７…右フランジ
１００…カラー部材
１１０…車輪支持部材
Ｓ…閉断面部
Ｂ１…車体取付部
Ｄ１…ダンパ取付部
Ｗ１…車輪側取付部
【図１】
0006510277.tif 000002
【図２】
0006510277.tif 000003
【図３】
0006510277.tif 000004
【図４】
0006510277.tif 000005
【図５】
0006510277.tif 000006
【図６】
0006510277.tif 000007